(57)【要約】【課題】かご側の排水構造の簡素化と低コスト化とを図ることができるとともに、保守点検の作業性を向上させることができるエレベータのドレン水排出装置を提供する。【解決手段】空気調和機３には、かご側排水路形成部材４の一端部が接続されている。昇降路１の内壁には、昇降路側排水路形成部材５が、複数の取付部材６を介して取り付けられている。昇降路側排水路形成部材５は、かご２の昇降方向に沿って、かご２の昇降可能範囲の全範囲に亘るように配置されている。かご側排水路形成部材４の挿入部４ａは、昇降路側排水路形成部材５の開口５ａを通して、昇降路側排水路形成部材５の内部に挿入されている。かご側排水路形成部材４は、挿入部４ａが昇降路側排水路形成部材５の内部に挿入された状態で、かご２の昇降に伴って昇降路１内を昇降される。【選択図】図１
2011207543.tif 000002
【特許請求の範囲】
【請求項１】
建物の昇降路内を昇降されるかごに設けられた空気調和機のドレン水を、前記かご側から前記建物側へ排出するためのエレベータのドレン水排出装置であって、
前記かごの昇降方向に沿って連続する開口が設けられ、かつ前記かごの昇降可能範囲の全範囲に亘るように前記かごの昇降方向に沿って前記昇降路内に配置され、ドレン水を前記昇降路の上方から下方へ導く昇降路側排水路を形成する昇降路側排水路形成部材と、
前記開口を通して前記昇降路側排水路形成部材の内部に挿入された挿入部を有し、前記かごに設けられ、前記空気調和機のドレン水を、前記挿入部を通して前記昇降路側排水路形成部材の内部へ導くかご側排水路を形成し、前記昇降路側排水路形成部材の内部に前記挿入部が挿入された状態で前記かごの昇降に伴って前記昇降路内を昇降されるかご側排水路形成部材と
を備えることを特徴とするエレベータのドレン水排出装置。
【請求項２】
前記昇降路側排水路形成部材は、
水平断面形状がＣ字状及びコ字状のいずれか一方となるように形成され、水平断面における両端部間の隙間が前記開口となる壁部を有し、
前記壁部の水平断面における前記開口の縁には、
毛先が前記壁部の水平断面の中心側へ向けられ、かつ水平面に対する斜め下方へ向けられた複数の毛材が取り付けられている
ことを特徴とする請求項１記載のエレベータのドレン水排出装置。
【請求項３】
前記複数の毛材の毛先と、前記挿入部の前記かごの昇降方向への投影領域との間には、間隔が空けられている
ことを特徴とする請求項２記載のエレベータのドレン水排出装置。
【発明の詳細な説明】
【技術分野】
【０００１】
この発明は、かごに設けられた空気調和機のドレン水を、かご側から建物側へ排出するためのエレベータのドレン水排出装置に関する。
【背景技術】
【０００２】
例えば、特許文献１に示すような従来装置では、エレベータ制御盤によってドレン水の排出制御が行われる。このものでは、エレベータ制御盤によって、かごが最下階で停止しているときに、ドレンタンクに接続された放水管の弁が開放され、かごのドレンタンクに溜まったドレン水が、放水管を通して昇降路の下端部であるピット部に設けられたドレン設備へ排出される。
【０００３】
また、例えば、特許文献２に示すような従来装置では、開口を有する竪樋状の導水体が昇降路のピット部に設けられている。このものでは、かごが最下階で停止した際に、かごの放水管の先端部が開口を通して導水体の内部に挿入され、かごに設けられたドレンタンクに溜まったドレン水が、放水管を通して導水体へ排出される。
【０００４】
さらに、図５は、従来のエレベータを示す構成図である。図５において、昇降路１を昇降されるかご２には、空気調和機３が設けられている。昇降路１の内壁には、中間経由タンク１１が設けられている。空気調和機３及び中間経由タンク１１は、排水ホース１２を介して接続されている。中間経由タンク１１は、ドレン水を昇降路１の外部へ導く外部配水管１３に接続されている。この排水ホース１２は、可撓性（柔軟性）を有し、かご２の昇降に伴って変形する。
【０００５】
この図５に示すような従来装置では、かご２が中間経由タンク１１よりも上方に位置しているときに、空気調和機３のドレン水が、排水ホース１２を通して中間経由タンク１１へ流れる。そして、そのドレン水が、中間経由タンク１１から外部配水管１３を通して、昇降路１の外部へ流れる。
【先行技術文献】
【特許文献】
【０００６】
【特許文献１】特開２００６−３０６５２４号公報
【特許文献２】特開平５−１０５３５１号公報
【発明の概要】
【発明が解決しようとする課題】
【０００７】
特許文献１，２に示すような従来装置では、かごにドレンタンクを設ける必要があり、また、排出制御を行う必要があることから、排出制御用の弁構造等が必要であった。このため、かご側の排水構造が複雑化するとともに、製造コストが増加していた。
【０００８】
また、図５に示すような従来装置では、かご２の昇降に伴って、排水ホース１２が変形するため、排水ホース１２の劣化が問題となる。このため、排水ホース１２が劣化している場合には、保守点検の際に、その排水ホース１２を交換する必要があった。
【０００９】
この発明は、上記のような課題を解決するためになされたものであり、かご側の排水構造の簡素化と低コスト化とを図ることができるとともに、保守点検の作業性を向上させることができるエレベータのドレン水排出装置を得ることを目的とする。
【課題を解決するための手段】
【００１０】
この発明に係るエレベータのドレン水排出装置は、  建物の昇降路内を昇降されるかごに設けられた空気調和機のドレン水を、前記かご側から前記建物側へ排出するためのものであって、前記かごの昇降方向に沿って連続する開口が設けられ、かつ前記かごの昇降可能範囲の全範囲に亘るように前記かごの昇降方向に沿って前記昇降路内に配置され、ドレン水を前記昇降路の上方から下方へ導く昇降路側排水路を形成する昇降路側排水路形成部材と、前記開口を通して前記昇降路側排水路形成部材の内部に挿入された挿入部を有し、前記かごに設けられ、前記空気調和機のドレン水を、前記挿入部を通して前記昇降路側排水路形成部材の内部へ導くかご側排水路を形成し、前記昇降路側排水路形成部材の内部に前記挿入部が挿入された状態で前記かごの昇降に伴って前記昇降路内を昇降されるかご側排水路形成部材とを備えるものである。
【発明の効果】
【００１１】
この発明に係るエレベータのドレン水排出装置によれば、かごの昇降可能範囲の全範囲に亘るように昇降路側排水路形成部材が設けられ、その昇降路側排水路形成部材の開口にかご側排水路形成部材の挿入部が挿入されているので、かごの高さ位置によらずドレン水を排出可能となることによりドレンタンクや排出制御用の弁構造を省略可能となり、また、図５に示すような従来装置における排水ホース１２とは異なり、かご側排水路形成部材がかごの昇降に伴って変形しないことから、かご側の排水構造の簡素化と低コスト化とを図ることができるとともに、保守点検の作業性を向上させることができる。
【図面の簡単な説明】
【００１２】
【図１】この発明の実施の形態１によるエレベータを示す構成図である。
【図２】図１のＩＩ部を拡大して示す構成図である。
【図３】図２のＩＩＩ−ＩＩＩ線に沿う断面図である。
【図４】図３のＶＩ−ＶＩ線に沿う断面図である。
【図５】従来のエレベータを示す構成図である。
【発明を実施するための形態】
【００１３】
以下、この発明を実施するための形態について、図面を参照して説明する。
実施の形態１．
図１は、この発明の実施の形態１によるエレベータを示す構成図である。
図１において、建物の昇降路１には、かご２が設けられている。かご２は、建物の最下階乗場１０Ａに対応する停止位置と、建物の最上階乗場１０Ｎに対応する停止位置との間を昇降可能範囲として、昇降路１内を昇降される。なお、このかご２の昇降可能範囲には、走行余裕寸法（ランバイ寸法）が含まれていてもよい。
【００１４】
かご２の天井部には、かご２のかご室内の空気を調和するための空気調和機（例えば、クーラ室外機等）３が設けられている。空気調和機３には、かご側排水路形成部材（配管部材）４の一端部が接続されている。
【００１５】
かご側排水路形成部材４の形状は、筒状である。また、かご側排水路形成部材４は、空気調和機３のドレン水の流路であるかご側排水路を形成している。さらに、かご側排水路形成部材４は、かご２の背面に取り付けられている。また、かご側排水路形成部材４は、その他端部である挿入部４ａが空気調和機３よりも下方に位置するように、かご２の高さ方向に沿って配置されている。挿入部４ａは、かご２の背面から昇降路壁面へ、斜め下方へ向けて突出するように配置されている。
【００１６】
昇降路１の内壁には、昇降路側排水路形成部材（ダクト、竪樋）５が、複数の取付部材６を介して取り付けられている。昇降路側排水路形成部材５は、かご２の昇降方向（昇降路１の高さ方向）に沿って、かご２の昇降可能範囲の全範囲に亘るように配置されている。また、昇降路側排水路形成部材５は、ドレン水を昇降路１の上方から下方へ導く昇降路側排水路を形成している。
【００１７】
昇降路側排水路形成部材５には、かご２の昇降方向に沿って連続する開口５ａが設けられている。ここで、かご側排水路形成部材４の挿入部４ａは、開口５ａを通して、昇降路側排水路形成部材５の内部に挿入されている。また、かご側排水路形成部材４は、挿入部４ａが昇降路側排水路形成部材５の内部に挿入された状態で、かご２の昇降に伴って昇降路１内を昇降される。
【００１８】
昇降路１のピット部１ａにおける昇降路側排水路形成部材５の下方には、ドレン水受け部材７が設けられている。ドレン水受け部材７は、昇降路側排水路形成部材５からドレン水を受けて、そのドレン水を昇降路１の外部へ導く。
【００１９】
次に、かご側排水路形成部材４及び昇降路側排水路形成部材５の構成について、より具体的に説明する。図２は、図１のＩＩ部を拡大して示す構成図である。図３は、図２のＩＩＩ−ＩＩＩ線に沿う断面図である。図２，３において、昇降路側排水路形成部材５は、かご２の昇降方向に沿って連続する中空空間を形成する壁部を有している。
【００２０】
昇降路側排水路形成部材５の壁部の水平断面形状は、略コ字状であり、コ字の両端部がコ字の内側へ向けてへ字状に折り曲げられている。昇降路側排水路形成部材５の壁部のコ字の両端部（水平断面の両端部）の間の間隔は、開口５ａをなしている。昇降路側排水路形成部材５の壁部における開口５ａの縁には、一対のブラシ構造体が取り付けられている。
【００２１】
この一対のブラシ構造体（図３の上側の組と下側の組と）は、止め金具８と複数の毛材９とによって、それぞれ構成されている。毛材９は、例えば金属や樹脂によって形成されている。また、複数の毛材９の基端部は、止め金具８によって、昇降路側排水路形成部材５の壁部の開口５ａの縁に固定されている。
【００２２】
さらに、複数の毛材９の毛先は、図２，３に示すように、昇降路側排水路形成部材５の壁部の水平断面の中心側へ向けられ、かつ水平面に対する斜め下方へ向けられている。つまり、複数の毛材９の毛先は、図３に示すように、全体として水平断面において、テーパ状となるように配置されている。なお、複数の毛材９における互いに隣り合う毛材同士の間には、毛細管現象によるドレン水の上方への逆流を防ぐために隙間を空けることが好ましい。
【００２３】
ここで、挿入部４ａの外径は、かご側排水路形成部材４における他の部分の外径よりも小さい。また、複数の毛材９の毛先と、挿入部４ａのかご２の昇降方向への投影領域との間には、間隔が空けられている。即ち、挿入部４ａは、複数の毛材９と非接触状態となるように配置されている。
【００２４】
次に、動作について説明する。まず、空気調和機３で発生するドレン水は、かご側排水路形成部材４の内部を通って、図３の矢示αのように、挿入部４ａから昇降路側排水路形成部材５の内部に流れ落ちる（滴下する）。そして、そのドレン水は、昇降路側排水路形成部材５の壁部のコ字の内面に沿って昇降路１の上方から下方へ流れて、ドレン水受け部材７に流れ落ち、昇降路１の外部へ排出される。従って、空気調和機３のドレン水は、かご２の高さ位置によらず、かご２側から建物側へ常時排出される。
【００２５】
また、挿入部４ａから流れ落ちて、昇降路側排水路形成部材５の壁部のコ字の内面に当たって飛び散り、毛材９に付着したドレン水は、図４に示すように、毛材９の毛先の向きに沿って、即ち斜め下方へ向けて流れる。この毛材９によって、かご側排水路形成部材４から流れ落ちたドレン水の昇降路側排水路形成部材５の壁部の外側への飛散が抑制される。
【００２６】
以上のように、実施の形態１によれば、かご２の昇降可能範囲の全範囲に亘るように昇降路側排水路形成部材５が設けられ、その昇降路側排水路形成部材５の開口５ａにかご側排水路形成部材４の挿入部４ａが挿入されている。この構成により、かご２の高さ位置によらずドレン水をかご２側から建物側へ排出可能となることから、かご２のドレンタンクや排出制御用の弁構造を省略可能となり、かご側の排水構造の簡素化と低コスト化とを図ることができる。これとともに、図５に示すような従来装置における排水ホース１２とは異なり、かご側排水路形成部材４がかご２の昇降に伴って変形しないことから、装置全体の故障発生率を大幅に低下させることができ、保守点検の作業性を向上させることができる。
【００２７】
また、特許文献１，２に示すような従来装置におけるドレンタンクや排出制御用の弁構造を省略することによって、かご２の軽量化を図ることもできる。
【００２８】
さらに、複数の毛材９が昇降路側排水路形成部材５における開口５ａの縁に設けられ、この複数の毛材９の毛先が、昇降路側排水路形成部材５の壁部の水平断面の中心側へ向けられ、かつ水平面に対する斜め下方へ向けられている。この構成により、特許文献２に示すような従来装置における毛材の毛先が水平方向へ向けて配置された構成に比べて、ドレン水を昇降路側排水路形成部材５の内部へ導きやすくすることができる。
【００２９】
ここで、特許文献２に示すような従来装置では、かごの放水管の先端部とブラシの毛材とが接触状態となることから、かご側から建物側へのドレン水の排出中に、かごが最下階乗場の停止位置よりも下方へ変位した場合に、ブラシの毛材の弾性変形に伴って、毛材に付着したドレン水が、導水路の外側へ飛散する可能性が考えられる。
これに対して、実施の形態１では、複数の毛材９の毛先と、挿入部４ａのかご２の昇降方向への投影領域との間には、間隔が空けられている。この構成により、挿入部４ａの昇降に伴って、毛材９が弾性変形しないことから、毛材９に付着したドレン水の昇降路側排水路形成部材５の外部への飛散を防止することができる。
【００３０】
なお、実施の形態１では、取付部材６を介して、昇降路側排水路形成部材５が昇降路１の内壁に取り付けられていた。しかしながら、この例に限定するものではなく、かご用のガイドレール、おもり用のガイドレール、又はこれらのレールを固定するためのレールブラケットに、昇降路側排水路形成部材５を取り付けてもよい。
【００３１】
また、実施の形態１では、昇降路側排水路形成部材５の壁部の水平断面形状が略コ字状であったが、この例に限定するものではなく、例えば略Ｃ字状であってもよい。
【符号の説明】
【００３２】
１  昇降路、１ａ  ピット部、２  かご、３  空気調和機、４  かご側排水路形成部材、４ａ  挿入部、５  昇降路側排水路形成部材、５ａ  開口、９  毛材。
【図１】
2011207543.tif 000003
【図２】
2011207543.tif 000004
【図３】
2011207543.tif 000005
【図４】
2011207543.tif 000006
【図５】
2011207543.tif 000007